(57)【要約】【課題】いずれの角度から見ても意匠性が高く、より装飾性の高い装飾用シートを提供することを目的としている。【解決手段】シート状基材の一方の面側に少なくとも金属薄膜層、印刷層、および、少なくとも一方の面が凸凹形状に形成され、前記印刷層が透視可能な透明または半透明材料からなる凸凹層が順に積層されていることを特徴としている。【選択図】      図１
2007001159.tif 000002
【特許請求の範囲】
【請求項１】
シート状基材の一方の面側に少なくとも金属薄膜層、印刷層、および、少なくとも一方の面が凸凹形状に形成され、前記印刷層が透視可能な透明または半透明材料からなる凸凹層が順に積層されていることを特徴とする装飾用シート。
【請求項２】
凸凹層が最表面に露出している請求項１に記載の装飾用シート。
【請求項３】
シート状基材の他方の面に粘着剤層が設けられている請求項１または請求項２に記載の装飾用シート。
【請求項４】
金属薄膜層と印刷層、印刷層と凸凹層とがそれぞれ透明または半透明な粘着剤層を介して積層されている請求項１〜３のいずれかに記載の装飾用シート。
【発明の詳細な説明】
【技術分野】
【０００１】
本発明は、主に看板・ウィンドーポップなど各種広告用途に用いられる装飾用シートに関するものである。
【背景技術】
【０００２】
軟質塩化ビニル樹脂,ポリエチレンテレプタレート等の可撓性シート状基材の一方の面に金属蒸着層を形成したような装飾用シートが、従来から上市されている。そして、このような装飾用シートは、所望の文字形状やイラストにカッティングして看板やウィンドーに貼り付けることによって、広告効果を高めるなど、各種の広告用途に従来から用いられている。
また、近年では、金属蒸着やホログラム、レインボーなどの装飾シート上に印刷を行うことにより、さらなる意匠性を付与するといった手法が提案されている(たとえば、特許文献１，２参照)。
【０００３】
しかし、上述のような金属蒸着層を含む装飾シート上に印刷を行う手法は、視認した際に印刷層背面の反射率が高くなり、キラキラとした意匠性を付与することで新しい装飾価値を見いだしているが、一方でその構成上、金属蒸着層が平滑面であるゆえに光反射の角度は単一であり、視認する角度によって意匠性に乏しいという欠点がある。
【０００４】
【特許文献１】特開平９−１３１８３０号公報
【特許文献２】特開２００１−１９１６５３号公報
【発明の開示】
【発明が解決しようとする課題】
【０００５】
本発明は、上記事情に鑑みて、いずれの角度から見ても意匠性が高く、より装飾性の高い装飾用シートを提供することを目的としている。
【課題を解決するための手段】
【０００６】
上記目的を達成するために、本発明の請求項１に記載の装飾用シート（以下、「請求項１の装飾用シート」と記す）は、シート状基材の一方の面側に少なくとも金属薄膜層、印刷層、および、少なくとも一方の面が凸凹形状に形成され、前記印刷層が透視可能な透明または半透明材料からなる凸凹層が順に積層されていることを特徴としている。
【０００７】
本発明の請求項２に記載の装飾用シート（以下、「請求項２の装飾用シート」と記す）は、請求項１の装飾用シートにおいて、凸凹層が最表面に露出していることを特徴としている。
【０００８】
本発明の請求項３に記載の装飾用シート（以下、「請求項３の装飾用シート」と記す）は、請求項１または請求項２の装飾用シートにおいて、シート状基材の他方の面に粘着剤層が設けられていることを特徴としている。
【０００９】
本発明の請求項４に記載の装飾用シート（以下、「請求項４の装飾用シート」と記す）は、請求項１〜請求項３のいずれかの装飾用シートにおいて、金属薄膜層と印刷層、印刷層と凸凹層とがそれぞれ透明または半透明な粘着剤層を介して積層されていることを特徴としている。
【００１０】
本発明において、金属薄膜層としては、特に限定されないが、たとえば、アルミニウム、クロム、銀、金などの金属材料を真空蒸着あるいはスパッタリング等によって形成され、材質としては、アルミニウムの真空蒸着膜が最も一般的に用いられる。
【００１１】
金属薄膜層は、シート状基材の表面に直接形成するようにしても構わないし、市販の金属薄膜付きの装飾テープをシート状基材表面に貼着したり、市販の金属薄膜付きの装飾テープの基材部分をシート状基材として用いるようにしたりすることもできる。
金属薄膜層の厚みは、特に限定されないが、通常10〜1000Åの範囲である。
【００１２】
印刷層を形成する印刷方法としては、特に限定されないが、たとえば、シルクスクリーン印刷、オフセット印刷、グラビア印刷、フレキソ印刷などの大量印刷に適した印刷方式から熱転写方式、静電方式、水性／油性インクジェット方式といった少量印刷に適した印刷方式まで用いることができるが、印刷媒体となる金属薄膜層を有する層の被印刷面の素材や特性によって最適な手法を適宜選定することが好ましい。
また、特定の印刷方式を用いるために、その印刷方式に最適の印刷下地層（プライマー層）等を金属薄膜層の表面にあらかじめ設けておいてもよい。なお、このような印刷下地層は、印刷層の下層である金属薄膜層が視認できるように透明であることが好ましい。
【００１３】
凸凹層は、たとえば、アクリル樹脂、ポリオレフィン、塩化ビニル樹脂などの印刷層および金属薄膜層を透視可能な透明あるいは半透明なフィルムやシート材料の表層をエンボス加工などにより凸凹に賦型した凸凹シートあるいはフィルムを用いることができる。このような凸凹シートとしては、たとえば、フロートガラス等の透明ガラスに貼着することにすりガラス調の意匠を付与する「ガラス装飾シート（たとえば、積水化学工業社製の商品名「タペシート」」や床面を保護しながらアンチスリップ性を備える「フロア用ラミネートフィルム（たとえば、住友スリーエム社製の商品名「フロアマインダー」）などの汎用製品を用いることも可能である。
【００１４】
なお、上記シート材料は、その下層の印刷層および金属薄膜層を凸凹層ごしに透視可能であれば、特に限定されないが、ヘイズ値で７５％以下かつ全光線透過率で８０％以上であることが好ましい。
【００１５】
凸部と、凹部との高低差は、特に限定されないが、ギラギラとした輝度感を十分に演出するために、５〜１００μｍ、より好ましくは２０〜８０μｍであることが望ましい。
凸凹のパターンは、規則的になっていても、不規則になっていても構わない。
凸凹層の厚みは、特に限定されないが、たとえば、０．０３〜０．３ｍｍ程度が好ましい。
【００１６】
シート状基材の材質としては、特に限定されず、たとえば、紙、不織布やポリエステル、ポリオレフィン、ポリウレタン、ポリクロロプレン、塩化ビニル樹脂、アクリル樹脂等からなるシート状成形体が挙げられる。
シート状基材の厚みは、特に限定されないが、たとえば、０．０３〜０．３ｍｍ程度が好ましい。
【００１７】
シート状基材の金属薄膜層と逆側の面には、特に限定されないが粘着剤層を形成しておいても構わない。
粘着剤層を形成する粘着剤としては、特に限定されないが、アクリル系粘着剤のほか、公知のシリコン系、ゴム系粘着剤を使用することができる。
【００１８】
アクリル系ポリマーを主成分とする従来の粘着テープに用いられる公知の粘着剤を用いることができる。ちなみに、上記アクリル系粘着剤に用いられるアクリル系ポリマーとしては特に限定されないが、例えば、（メタ）アクリル 酸エステルモノマーの単独重合体、又は、（メタ）アクリル 酸エステルモノマーとこれと共重合可能な他のビニルモノマーとの共重合体であることが好ましい。
上記（メタ）アクリル 酸エステルモノマーとしては、アルキル基の炭素数が４〜１２の１級又は２級アルコールと、アクリル酸又はメタクリル酸とのエステルが好適に用いられる。
【発明の効果】
【００１９】
本発明にかかる装飾用シートは、以上のように構成されているので、凸凹層が光反射角度を散乱させることにより高反射率と高輝度感を兼ね備え、いずれの角度から見た場合においても、「ギラギラ」とした従来に無い立体的なインパクトを視認者に与え、より装飾性の高いものとなる。したがって、広告媒体に用いれば、より広告価値の高いものとすることができる。
【発明を実施するための最良の形態】
【００２０】
以下に、本発明を、その実施の形態をあらわす図面を参照しつつ詳しく説明する。
図１は、本発明にかかる装飾用シートの第１の実施の形態をあらわしている。
【００２１】
図１に示すように、この装飾用シートＡは、シート状基材層１と、金属薄膜層２と、印刷層３と、凸凹層４とを備えている。
金属薄膜層２は、シート状基材層１の一方の面にアルミニウム等の金属材料を真空蒸着やスパッタリングすることによって形成されている。
【００２２】
印刷層３は、金属薄膜層２の上に直接印刷することによって形成されている。
凸凹層４は、一方の面がエンボス加工により凸凹加工された凸凹面４１となったアクリル樹脂等の透明樹脂からなるシートで形成されていて、凸凹面４１側を外側に向けて印刷層３を覆うように貼着されている。
【００２３】
すなわち、この装飾用シートＡは、金属薄膜層２の上に印刷層３が設けられているので、印刷層３越しに金属薄膜層２のキラキラ感が視認できる。しかも、印刷層３の上に凸凹層４が設けられているので、凸凹層４が光反射角度を散乱させることにより高反射率と高輝度感を兼ね備え、いずれの角度から見た場合においても、「ギラギラ」とした従来に無い立体的なインパクトを視認者に与え、より装飾性の高いものとなる。したがって、広告媒体に用いれば、より広告価値の高いものとすることができる。
【００２４】
図２は、本発明にかかる装飾用シートの第２の実施の形態をあらわしている。
図２に示すように、この装飾用シートＢは、凸凹層４と、印刷層３との間に透明粘着剤層７が設けられている以外は、上記の装飾用シートＢと同様になっている。
【００２５】
この装飾用シートＢは、以上のように、粘着剤層５を備えているので、粘着剤層５を介して容易に所望部分に貼着することができる。
【００２６】
図３は、本発明にかかる装飾用シートの第３の実施の形態をあらわしている。
図３に示すように、この装飾用シートＣは、凸凹層４が、その凸凹面４１側を印刷層３側に向けて透明樹脂粘着剤６を介して印刷層３の表面に貼着されている以外は、上記装飾用シートＡと同様になっている。
【００２７】
図４は、本発明にかかる装飾用シートの第４の実施の形態をあらわしている。
図４に示すように、この装飾用シートＤは、凸凹層４が、その凸凹面４１側を印刷層３側に向けるとともに、凸凹面４１の凸部のみが粘着剤（図示せず）を介して印刷層３の表面に貼着されている以外は、上記装飾用シートＣと同様になっている。
【００２８】
図５は、本発明にかかる装飾用シートの第５の実施の形態をあらわしている。
図５に示すように、この装飾用シートＥは、凸凹層４が、粘着剤層７を介して印刷層３表面に貼着されている以外は、上記の装飾用シートＡと同様になっている。
【実施例１】
【００２９】
（実施例１）
金属薄膜層となる金属蒸着層を基材の一方の面に備えた市販の装飾用シート（東洋メタライジング社製「メタルミーＴＳ」）の蒸着反射面側に熱転写型プリンター（昭和情報機器社製「ＭＳＰ４０」にて印刷層を形成し、さらにその印刷層の上に凸凹面の反対側の面に粘着剤層を備えたガラス装飾用シート（積水化学工業社製の「タペシートＨＣＦ−０１」）を、粘着剤層を介して凸凹層として積層した装飾用シート評価サンプルを作製した。
【００３０】
（実施例２）
金属蒸着層を基材の一方の面に備えた市販の装飾用シートとして積水化学工業社製「ハルカラーＨＣＧ−１０」を用いた以外は実施例１と同じ構成にて装飾シート評価サンプルを作製した。
【００３１】
（実施例３）
市販の装飾用シート（積水化学工業社製「環境タックペイントＫＨ００（透明）」）上にシルクスクリーン印刷によって印刷層を形成し、さらにその印刷層の上に凸凹面の反対側の面に粘着剤層を備えたガラス装飾用シート（積水化学工業社製の「タペシートＨＣＦ−０１」）を、粘着剤層を介して凸凹層として積層し、かつ印刷面と反対側の面に金属蒸着層を備えた実施例１と同様の装飾用シートを積層して評価サンプルを作製した。
【００３２】
（比較例１）
市販の装飾用シート（積水化学工業社製「環境タックペイントＫＨ００（透明）」）上に熱転写型プリンター（昭和情報機器社製「ＭＳＰ４０」にて印刷層を形成して装飾用シート評価サンプルを得た。
【００３３】
（比較例２）
金属蒸着層を基材の一方の面に備えた市販の装飾用シート（東洋メタライジング社製「メタルミーＴＳ」）の蒸着反射面側に熱転写型プリンター（昭和情報機器社製「ＭＳＰ４０」にて印刷層を形成して装飾用シート評価サンプルを得た。
【００３４】
（比較例３）
市販の装飾用シート（積水化学工業社製「環境タックペイントＫＨ００（透明）」）上に熱転写型プリンター（昭和情報機器社製「ＭＳＰ４０」にて印刷層を形成し、さらにその印刷層の上に凸凹面の反対側の面に粘着剤層を備えたガラス装飾用シート（積水化学工業社製の「タペシートＨＣＦ−０１」）を、粘着剤層を介して凸凹層として積層した装飾用シート評価サンプルを作製した。
【００３５】
上記実施例１〜３および比較例１〜３で得られた評価サンプルのそれぞれについて、
評価サンプルの最表層側から見たときの「反射性」、「輝度感」、「総合意匠性」を目視にて５段階評価し、その結果を、凹凸層と印刷層との複合層のヘイズ値および全光線透過率を測定した結果と合わせて表１に示した。
なお、反射性については、表面から視認した際に反射による背景写り込みが視認できる場合を○、視認できない場合を×と評価した。輝度感については、表層面から視認した際の視認角度による明るさ／反射率に顕著な差が確認される場合を○、ごくわずか確認される場合を△、確認されない場合を×と評価した。総合意匠性については、前述の反射性および輝度感の評価の○を２点、△を１点、×を０点とした上でその合計点にて評価した。
【００３６】
【表１】
2007001159.tif 000003
【図面の簡単な説明】
【００３７】
【図１】本発明にかかる装飾用シートの第１の実施の形態をあらわす断面図である。
【図２】本発明にかかる装飾用シートの第２の実施の形態をあらわす断面図である。
【図３】本発明にかかる装飾用シートの第３の実施の形態をあらわす断面図である。
【図４】本発明にかかる装飾用シートの第４の実施の形態をあらわす断面図である。
【図５】本発明にかかる装飾用シートの第５の実施の形態をあらわす断面図である。
【符号の説明】
【００３８】
Ａ，Ｂ，Ｃ，Ｄ，Ｅ  装飾用シート
１  シート状基材層
２  金属薄膜層
３  印刷層
４  凸凹層
４１  凸凹面
５  粘着剤層
６，７  透明粘着剤層
【図１】
2007001159.tif 000004
【図２】
2007001159.tif 000005
【図３】
2007001159.tif 000006
【図４】
2007001159.tif 000007
【図５】
2007001159.tif 000008